(57)【特許請求の範囲】
【請求項１】
空間を挟んで長手方向に間隔をあけて２列に立設した多数の縦リブ片を順に２つ１組とし、該２つ１組の縦リブ片の上端同士を上面片により、下端の外側端及び内側端同士を横桟片により、それぞれ接続して通気空間を有する直方体状の単位ブロックを形成するとともに、隣接する単位ブロックの縦リブ片同士を高さ方向の中間位置で水平面片により、下端の外側端及び内側端同士を横桟片により、それぞれ接続して通気空間を有する易切断領域を形成することによって、前記多数の縦リブ片の列を一体に接続し、さらに、該一体に接続した縦リブ片の列を長手方向に間隔をあけて配した接続片により一体に接続してなることを特徴とする床下換気部材。
【請求項２】
易切断領域を構成する隣接する単位ブロック間の間隔を、単位ブロックを構成する隣接する縦リブ片間の間隔より小さく設定してなることを特徴とする請求項１記載の床下換気部材。
【発明の詳細な説明】
【技術分野】
【０００１】
本発明は、基礎と建物の土台との間に介在して用いられる床下換気部材に関するものである。
【背景技術】
【０００２】
従来、床下の換気を行うことができるようにするために、建物を建造する際に布基礎と建物の土台の間に通気性を備えた床下換気部材を介在するようにしていた（例えば、特許文献１参照。）。
【０００３】
ところで、床下換気部材は、ネズミ等の小動物が隙間を通って床下に入り込まないようにするために、基礎と建物の土台との間に連続して介在させる必要があり、このため、定形の床下換気部材を、必要に応じて、切断して用いるようにしていた。
しかしながら、従来の床下換気部材は、炭酸カルシウム粉末等の無機物質とポリプロピレン等の合成樹脂とからなる硬質の複合材料で構成されているため、上記定形の床下換気部材の切断作業に手数を要するという問題があった。
【０００４】
この問題に対処するため、床下換気部材の上面に床下換気部材を折り曲げて切断するための切溝を長手方向の所定間隔おきに幅方向に向けて形成するとともに、床下換気部材を折り曲げて切断するのに伴って切断される補強桟を長手方向に差し渡して形成するようにしたものが提案されている（特許文献２参照。）。
【先行技術文献】
【特許文献】
【０００５】
【特許文献１】実用新案登録第３０７９７７７号公報
【特許文献２】特許第３９８３７６８号公報
【発明の概要】
【発明が解決しようとする課題】
【０００６】
ところで、床下換気部材において、通気性能を高めることと、強度を高めることとは、トレードオフの関係（一方を追求すれば他方を犠牲にせざるを得ない関係）にあり、特に、特許文献２において提案されているように、床下換気部材の上面に床下換気部材を折り曲げて切断するための切溝を長手方向の所定間隔おきに幅方向に向けて形成するようにした場合、切溝のノッチ効果によって床下換気部材の強度が低下しやすく、強度設計を十分に行う必要があった。
【０００７】
本発明は、上記従来の床下換気部材の有する問題点に鑑み、定形の床下換気部材の切断作業を簡易に行うことができるようにしながら、通気性能及び強度を高めることができる床下換気部材を提供することを目的とする。
【課題を解決するための手段】
【０００８】
上記目的を達成するため、本発明の床下換気部材は、空間を挟んで長手方向に間隔をあけて２列に立設した多数の縦リブ片を順に２つ１組とし、該２つ１組の縦リブ片の上端同士を上面片により、下端の外側端及び内側端同士を横桟片により、それぞれ接続して通気空間を有する直方体状の単位ブロックを形成するとともに、隣接する単位ブロックの縦リブ片同士を高さ方向の中間位置で水平面片により、下端の外側端及び内側端同士を横桟片により、それぞれ接続して通気空間を有する易切断領域を形成することによって、前記多数の縦リブ片の列を一体に接続し、さらに、該一体に接続した縦リブ片の列を長手方向に間隔をあけて配した接続片により一体に接続してなることを特徴とする。
【０００９】
この場合において、易切断領域を構成する隣接する単位ブロック間の間隔を、単位ブロックを構成する隣接する縦リブ片間の間隔より小さく設定してなるようにすることができる。
【発明の効果】
【００１０】
本発明の床下換気部材によれば、２つ１組の縦リブ片の上端同士を上面片により、下端の外側端及び内側端同士を横桟片により、それぞれ接続して通気空間を有する直方体状の単位ブロックを形成することによって、通気性能及び強度を高めながら、隣接する単位ブロックの間に形成した通気空間を有する易切断領域において、定形の床下換気部材の切断作業を簡易に行うことができる。
そして、易切断領域は、隣接する単位ブロックの縦リブ片同士を高さ方向の中間位置で水平面片により、下端の外側端及び内側端同士を横桟片により、それぞれ接続して通気空間を有するように形成することによって、通気性能及び強度を備えながら、切断作業を、折り曲げ、金槌等による衝撃、鋸等による切断等の任意の方法によって行うことができ、切断作業の作業性を向上することができる。
【００１１】
また、易切断領域を構成する隣接する単位ブロック間の間隔を、単位ブロックを構成する隣接する縦リブ片間の間隔より小さく設定してなるようにすることにより、易切断領域による強度の低下を低減することができる。
【図面の簡単な説明】
【００１２】
【図１】本発明の床下換気部材の一実施例を示し、（ａ）は平面図、（ｂ）は正面断面図、（ｃ）は底面図である。
【図２】同床下換気部材を示し、（ａ）は図１（ａ）のＡ−Ａ断面図、（ｂ）は図１（ａ）のＢ−Ｂ断面図、（ｃ）は図１（ａ）のＣ−Ｃ断面図、（ｄ）は左側面図、（ｅ）は右側面図である。
【図３】同床下換気部材を示し、（ａ）は図２（ｂ）のＤ部の拡大図、（ｂ）は図２（ａ）のＥ部の拡大図、（ｃ）は図１（ｂ）のＦ部の拡大図、（ｄ）は図１（ｃ）のＧ部の拡大図、（ｅ）は図１（ａ）のＨ部の拡大図、（ｆ）は図１（ｂ）のＩ部の拡大図、（ｇ）は図１（ａ）のＪ部の拡大図、（ｈ）は図１（ｂ）のＫ部の拡大図である。
【図４】同床下換気部材を示し、（ａ）は斜め上方からの斜視図、（ｂ）は斜め下方からの斜視図である。
【発明を実施するための形態】
【００１３】
以下、本発明の床下換気部材の実施の形態を、図面に基づいて説明する。
【００１４】
図１〜図４に、本発明の床下換気部材の一実施例を示す。
この床下換気部材１は、アンカー（図示省略）の挿通部となる空間２を挟んで長手方向に間隔をあけて２列に立設した多数の縦リブ片３１を順に２つ１組とし、２つ１組の縦リブ片３１の上端同士を上面片３２により、下端の外側端及び内側端同士を横桟片３３、３４により、それぞれ接続して通気空間を有する直方体状の単位ブロック３を形成するとともに、隣接する単位ブロック３の縦リブ片３１同士を高さ方向の中間位置（高さ方向の中心位置に限定されず、中心位置を基準として、ある程度上下に位置するようにすることができる。）で水平面片４１により、下端の外側端及び内側端同士を横桟片４２、４３により、それぞれ接続して通気空間を有する易切断領域４を形成することによって、多数の縦リブ片３１の列を一体に接続し、さらに、一体に接続した縦リブ片３１の列を長手方向に間隔をあけて配した接続片５により一体に接続するようにし、従来の床下換気部材と同様、炭酸カルシウム粉末等の無機物質とポリプロピレン等の合成樹脂とからなる硬質の複合材料を一体成型により形成するようにしている。
【００１５】
すなわち、この床下換気部材１は、２つ１組の縦リブ片３１の上端同士を上面片３２により、下端の外側端及び内側端同士を横桟片３３、３４により、それぞれ接続して通気空間を有する直方体状の単位ブロック３を形成することによって、通気性能及び強度を高めながら、隣接する単位ブロック３の間に形成した通気空間を有する易切断領域４において、定形の床下換気部材１を現場で寸法合わせをするために行う床下換気部材１の切断作業を簡易に行うことができるようにしている。
【００１６】
そして、易切断領域４は、隣接する単位ブロック３の縦リブ片３１同士を高さ方向の中間位置で水平面片４１により、下端の外側端及び内側端同士を横桟片４２、４３により、それぞれ接続して通気空間を有するように形成することによって、通気性能に加え、切溝のようなノッチ効果をもたらす部位がないことから強度を備えながら、切断作業を、折り曲げ、金槌等による衝撃、鋸等による切断等の任意の方法によって行うことができ、切断作業の作業性を向上することができる。
【００１７】
なお、本実施例においては、床下換気部材１を一体成型により形成する成形上の理由等により、上面片３２及び水平面片４１は、縦リブ片３１の幅方向の寸法よりも若干小さく、また、横桟片４２は底面から若干浮かせて形成するようにしているが、これらの形態は、上記の基本的な形態を保持する限りにおいて、成形型の形状等に応じて、適宜変更することができる。
【００１８】
また、易切断領域４を構成する隣接する単位ブロック３間の間隔を、単位ブロック３を構成する隣接する縦リブ片３１間の間隔より小さく設定するようにしている。
これにより、易切断領域４による強度の低下を低減することができる。
【００１９】
接続片５は、強度と剛性を持たせるために、縦リブ片３１よりも厚肉に形成するか、中実に形成するようにし、端部及び中間部に位置する接続片５に釘孔５ａを、すべての接続片５に位置ずれ防止用の突起５ｂを形成するようにしている。
【００２０】
床下換気部材１の長手方向の両端部には、互い接続される床下換気部材１の幅方向の相対変位を拘束するための嵌合部６を形成するようにしている。
【００２１】
以上のように構成される床下換気部材１は、嵌合部６を嵌め合わせることによって、床下換気部材１同士を接続することができる。
そして、定形の床下換気部材１を組み合わせただけでは、床下換気部材１間に隙間が生じる場合には、隣接する単位ブロック３の間に形成した通気空間を有する易切断領域４において床下換気部材１を、折り曲げ、金槌等による衝撃、鋸等による切断等の任意の方法によって切断することで、床下換気部材１の現場で寸法合わせを簡易に行うことができる。
【００２２】
以上、本発明の床下換気部材について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の床下換気部材は、定形の床下換気部材の切断作業を簡易に行うことができるようにしながら、通気性能及び強度を高めることができるという特性を有していることから、床下換気部材の用途に好適に用いることができる。
【符号の説明】
【００２４】
１  床下換気部材
２  空間
３  単位ブロック
３１  縦リブ片
３２  上面片
３３  横桟片
３４  横桟片
４  易切断領域
４１  水平面片
４２  横桟片
４３  横桟片
５  接続片
５ａ  釘孔
５ｂ  突起
６  嵌合部
【図１】
0006425996.tif 000002
【図２】
0006425996.tif 000003
【図３】
0006425996.tif 000004
【図４】
0006425996.tif 000005